(57)【特許請求の範囲】
【請求項１】
石材を積み重ねてできる石材構造物において、積み重ねられる上から二段目石材における上面所定箇所より最下段石材における接地面まで最上段石材を除いた全ての石材を貫通する少なくとも一以上の貫通孔を備えるとともに、積み重ねられる上から二段目石材以下の各石材上面に、貫通孔に向かって傾斜を設けたことを特徴とする水・空気抜孔装備石材構造物。
【請求項２】
石材を積み重ねてできる石材構造物において、積み重ねられる上から二段目石材における上面所定箇所より最下段石材における接地面まで最上段石材を除いた全ての石材を貫通する少なくとも一以上の貫通孔を備えるとともに、積み重ねられる上から二段目石材以下の各石材上面に、貫通孔に向かって少なくとも一以上の切込みを設けたことを特徴とする水・空気抜孔装備石材構造物。
【請求項３】
前記水・空気抜孔装備石材構造物において、積み重ねられる各石材間に免震材を挟持させて成ることを特徴とする請求項１または請求項２に記載の水・空気抜孔装備石材構造物。
【請求項４】
前記水・空気抜孔装備石材構造物が、墓石塔であることを特徴とする請求項１から請求項３のいずれかに記載の水・空気抜孔装備墓石塔。
【発明の詳細な説明】
【技術分野】
【０００１】
本発明は、石塔など各種石材を積み重ねて設置される石材構造物に関するものである。
【背景技術】
【０００２】
石材を積み重ねて設置される石材構造物として、墓石塔や記念碑、モニュメント、石塀などがある。これらは、屋外に設置された場合に、雨ざらしになるなど天候や外気といった環境の影響を受け易い。また、屋内に設置される場合であっても、気温変化等の影響を受ける。かかる石材構造物における各石材の積み重ねに際し、従来においては、その積み重ねる箇所全体にモルタルを敷き詰め石材同士で挟んだ状態で積み重ねたり、あるいは、調整材によって積み重ねた石材同士の水平調整を行うとともに石材同士を接着し、その後その周りをモルタルやセメントなどの目地材で目地仕上げすることで積み重ねていた。
【０００３】
しかしながら、上記従来の手段によると、積み重ねた石材同士の間にどうしても空気層ができてしまい、かかる空気層内の空気が外気温で膨張・収縮を繰り返すことで、モルタルの場合はひび割れが発生し、弾性を備える目地材の場合は該目地材が押し出されて外部へ広がってはみ出したり逆に内部へ窪んだりしてしまっていた。また、石材には、ゆっくりとではあるが、水を吸収・浸透してその吸収・浸透された水は重力に従って下方向へ石材内を移動する性質があるため、その石材に吸収・浸透された水が石材同士の間にできた空気層に達して溜まることがある。その場合に、外気温よってその水が熱膨張や凍って膨張することにより、上記と同様の問題が発生してしまう。このような問題が度々繰り返されると、最終的にはその歪みが影響を及ぼして石材に痛みを与える結果となり、石材寿命が早まってしまうこととなる。
【０００４】
かかる問題を解決すべく、モルタルで完全に空気層を埋める試みがなされているが、使用するモルタル量が増加して不経済であるとともに、その作業自体が非常に煩雑であって、しかも、現場における空気層の有無確認作業の手間が掛かり、したがって、空気層を完全になくすことは非常に困難である。また、目地部分における所定箇所にキリなどであらかじめ通気孔・通水孔を開けておいたり、あるいは、目地仕上げの際に見えにくい箇所を目地仕上げせずにあらかじめ隙間を開けておく試みもなされているが、かえってその孔や隙間から水が浸入してしまって、何ら意味を成さず問題解決には至っていない。
【特許文献１】特開２００４―２９３１９４号公報
【特許文献２】特開平１１―６２３１８号公報
【特許文献３】特開平７―４８９５８号公報
【発明の開示】
【発明が解決しようとする課題】
【０００５】
上記問題点に鑑み、本発明は、石材を積み重ねた際に石材同士の間にできる空気層内の通気及び水抜きを、簡単な構造によって容易に可能とした石材構造物を提供することを目的とする。
【課題を解決するための手段】
【０００６】
前記目的を達成するため、本発明は、石材を積み重ねてできる石材構造物おいて、積み重ねられる上から二段目石材における上面所定箇所より最下段石材における接地面まで最上段石材を除いた全ての石材を貫通する少なくとも一以上の貫通孔を備えた構成となっている。
【０００７】
また、本発明は、前記水・空気抜孔装備石材構造物において、積み重ねられる上から二段目石材以下の各石材上面に、貫通孔に向かって傾斜を設けた構成を採用することができる。
【０００８】
さらに、本発明は、前記水・空気抜孔装備石材構造物において、積み重ねられる上から二段目石材以下の各石材上面に、貫通孔に向かって少なくとも一以上の切込みを設けた構成を採ることもできる。
【０００９】
またさらに、本発明は、前記水・空気抜孔装備石材構造物において、積み重ねられる各石材間に免震材を挟持させて成る構成を採用することができる。
【００１０】
そしてまた、本発明は、前記水・空気抜孔装備石材構造物が、墓石塔である構成とすることもできる。
【発明の効果】
【００１１】
本発明にかかる水・空気抜孔装備石材構造物によれば、石材同士を積み重ねた際にその間に生じる空気層内の通気が可能であるため、外気温によって該空気層内にある空気の膨張・収縮が起こっても、モルタルのひび割れや弾性目地材のはみ出し・窪みが発生することがなくなるといった優れた効果を発揮し、これにより石材寿命並びに目地材寿命を延ばす効果も奏する。
【００１２】
また、本発明にかかる水・空気抜孔装備石材構造物によれば、石材に吸収・浸透され前記空気層に達して溜まってしまった水の通水も可能であるため、上記同様、外気温によって該空気層内にある水の膨張が起こっても、モルタルのひび割れや弾性目地材のはみ出し・窪みが発生することがなくなって、石材寿命並びに目地材寿命の延長につながる。
【００１３】
そしてまた、本発明にかかる水・空気抜孔装備石材構造物によれば、従来において上記問題解決のために行われていたキリなどでの孔開けや隙間を開けたコーキングのような石材構造物外部から手を加えることがないため、作業する上での煩雑さはなく、また、現場における空気層の有無確認作業を行う必要もなくなって、外観上においても美観に優れた石材構造物を提供することが可能となる。
【００１４】
さらには、本発明にかかる水・空気抜孔装備石材構造物において、積み重ねられる各石材間に免震材を挟持させることで、石材構造物に免震機能を備えさせるとともに、各石材間に充填されている目地材の劣化を遅らせる効果をも奏する。
【発明を実施するための最良の形態】
【００１５】
本発明にかかる水・空気抜孔装備石材構造物１は、石材同士を積み重ねた際にその間に生ずる空気層内の通気・通水を、外観上何の変化もなく可能としたことを最大の特徴とする。以下、本発明にかかる水・空気抜孔装備石材構造物１の実施形態を図面に基づいて説明する。
【００１６】
図１は、本発明にかかる水・空気抜孔装備石材構造物１の実施形態を示す斜視図である。該水・空気抜孔装備石材構造物１は、石材２を積み重ねてできる石材構造物において、最上段石材２ａを除いた上から二段目石材２ｂにおける上面所定箇所より接地面までの全ての石材２を貫通する少なくとも一以上の貫通孔３を備えた構成となっている。すなわち、最上段石材２ａは何ら加工を加えることなく通常の石材２を用い、上から数えて二段目石材２ｂや三段目石材２ｃといった下段に積み重ねられる石材２には、上面から下面まで貫通する貫通孔３を備えるように加工された石材２が用いられる。
【００１７】
かかる各石材２における貫通孔３は、通気・通水という機能上、各石材２を積み重ねた際に位置が一致することが望ましい。そして、上段に積み重ねる石材２から貫通孔３が露出しなければ、該貫通孔３の設ける位置について、略中央であると端部付近であるとを問わない。ただし、石材２の強度低下等を考慮すると、貫通孔３を略中央位置に設けることが望ましい。また、該貫通孔３の径については特に限定するものではなく、各石材２自体の強度等を考慮しながら決定される。尚、図面では、貫通孔３を最上段石材２ａ以外の各石材２に一つ備えた構成を示しているが、二以上備えさせた構造とすることも可能である。
【００１８】
図２は、本発明にかかる石材構造物として墓石塔を採用して水・空気抜孔装備墓石塔１とした場合の実施形態を示す斜視図である。該水・空気抜孔装備墓石塔１は、上記同様、最上段の石塔２ｄを除いた上から二段目にある上台２ｅにおける上面所定箇所より接地面までの全ての石材２を貫通する少なくとも一以上の貫通孔３を備えた構成となっている。すなわち、石塔２ｄには何ら加工を加えることなく通常の石塔２ｄを用い、上台２ｅや中台２ｆ、芝台２ｇといった下段に積み重ねられる石材２には、上面から下面まで貫通する貫通孔３を備えるように加工された石材２が用いられる。
【００１９】
かかる水・空気抜孔装備墓石塔１における貫通孔３の位置や径については、上記と同様である。また、図面において貫通孔３一つ備えた構成を示しているが、二以上備えさせた構造が可能であることも、上記と同様である。
【００２０】
図３は、本発明にかかる水・空気抜孔装備石材構造物１の第一の積み重ね構造を示しており、図３（ａ）は積み重ねられる石材２の各構成を示す説明斜視図、図３（ｂ）は貫通孔３を備えた石材２を示す平面図、図３（ｃ）は積み重ねられた水・空気抜孔装備石材構造物１の断面図である。尚、図面では、説明の便宜上、石材構造物として墓石塔を採用して水・空気抜孔装備墓石塔１とした場合を示している。
【００２１】
図３各図に示すように、第一の積み重ね構造においては、貫通孔３を備えた石材２について、その上面がフラットな形状のものを使用する。図３（ａ）に示すように、初めに芝台２ｇを設置後、その上段に中台２ｆ、さらにその上段に上台２ｅが積み重ねられ、最後に最上段へ石塔２ｄが積み重ねられる。各石材２を積み重ねるに際しては、石材２同士の間でゴムパッキンやアクリル板等の調整材によって水平調整がなされ、各調整材間にエポキシ系樹脂や弾性シリコン等の接着剤７を点着けして石材２同士を接着し、最後に石材２間にできた隙間に沿ってその周りをセメントやモルタル、弾性シリコン等の目地材によって目地仕上げすることで、最終的に水・空気抜孔装備墓石塔１が完成する。かかる水・空気抜孔装備墓石塔１は、図３（ｃ）に示す通り、最上段の石塔２ｄを除いて上から二段目の上台２ｅの上面から接地面にあたる最下段の芝台２ｇの下面まで、一連の貫通孔３が備えられることとなる。かかる構成を採ることにより、石塔２ｄと上台２ｅとの間、上台２ｅと中台２ｆとの間、そして中台２ｆと芝台２ｇとの間にできた空気層内の空気や水が、貫通孔３を介して通気・通水可能となる。
【００２２】
図４は、本発明にかかる水・空気抜孔装備石材構造物１の第二の積み重ね構造を示しており、図４（ａ）は積み重ねられる石材２の各構成を示す説明斜視図、図４（ｂ）は貫通孔３を備えた石材２を示す平面図、図４（ｃ）は積み重ねられた水・空気抜孔装備石材構造物１の断面図である。尚、図面では、説明の便宜上、石材構造物として墓石塔を採用して水・空気抜孔装備墓石塔１とした場合を示している。
【００２３】
図４各図に示すように、第二の積み重ね構造においては、貫通孔３を備えた石材２について、その上面に該貫通孔３に向かって傾斜を設けた形状のものを使用する。かかる傾斜の形態については、特に限定するものではなく、図面に示すような円弧型であったり、その外にもお椀型や平面傾斜型等、種々の傾斜の形態が考え得る。各石材２の積み重ねから完成までは、上記第一の積み重ね構造と同様である。かかる構成を採ることにより、石塔２ｄと上台２ｅとの間、上台２ｅと中台２ｆとの間、そして中台２ｆと芝台２ｇとの間にできた空気層内の空気や水が、貫通孔３を介して通気・通水可能となるだけでなく、傾斜を設けることで空気層内の水を積極的に通気孔３へ排出する効果を奏することとなる。
【００２４】
図５は、本発明にかかる水・空気抜孔装備石材構造物１の第三の積み重ね構造を示しており、図５（ａ）は積み重ねられる石材２の各構成を示す説明斜視図、図５（ｂ）は貫通孔３を備えた石材２を示す平面図、図５（ｃ）は積み重ねられた水・空気抜孔装備石材構造物１の断面図である。尚、図面では、説明の便宜上、石材構造物として墓石塔を採用して水・空気抜孔装備墓石塔１とした場合を示している。
【００２５】
図５各図に示すように、第三の積み重ね構造においては、貫通孔３を備えた石材２について、その上面に該貫通孔３に向かって切込みを設けた形状のものを使用する。各石材２の積み重ねから完成までは、上記第一及び第二の積み重ね構造と同様である。かかる構成を採ることにより、石塔２ｄと上台２ｅとの間、上台２ｅと中台２ｆとの間、そして中台２ｆと芝台２ｇとの間にできた空気層内の空気や水が、貫通孔３を介して通気・通水可能となるだけでなく、切込みを設けることで空気層内の水を積極的に通気孔３へ排出する効果を奏することとなる。
【００２６】
図６は、本発明にかかる水・空気抜孔装備石材構造物１の第四の積み重ね構造を示しており、図６（ａ）は積み重ねられる石材２の各構成並びに免震材６を示す説明斜視図、図６（ｂ）は免震材６の一実施形態を示す斜視図、図６（ｃ）は積み重ねられた水・空気抜孔装備石材構造物１の断面図である。尚、図面では、説明の便宜上、石材構造物として墓石塔を採用して水・空気抜孔装備墓石塔１とした場合を示している。
【００２７】
図６各図に示すように、第四の積み重ね構造においては、貫通孔３を備えた石材２について、積み重ねられる各石材２間に免震材６を挟持させることとなる。各石材２の積み重ねから完成までは、上記第一から第三の積み重ね構造と同様であるが、各石材２の積み重ねに際して行われる石材２間におけるゴムパッキンやアクリル板等の調整材による水平調整ともに、あるいはそれに代わって、積み重ねられる各石材２間に免震材６を挟持させることとなる。
【００２８】
かかる免震材６において、材質については通常用いられている弾性を備えた免震機能を有するものであれば特に限定はなく、例えば弾性発泡ゴムやその他の発泡体等、震動の吸収が可能な弾性体が挙げられる。また、形状については特に限定はなく、貫通孔３の周囲を囲むような円形あるいは多角形の輪形状であったり、あるいは、棒状や小片状であってもよい。このとき、かかる免震材６の配置については、該免震材６の形状から上段に積み重ねられる石材２を支える関係を考慮して適宜決定されることとなるが、例えば、該免震材６が棒状である場合には、石材２間において少なくとも二本の免震材６が貫通孔３を挟んで略並行に配置され、また、小片状である場合には、石材２間において少なくとも三個の免震材６が貫通孔３を挟んで均等に配置される必要がある。尚、図面では、バランスの関係から、貫通孔３を挟んで石材２の四隅に均等に四個の小片状免震材６を配置した構成を示している。
【００２９】
上記水平調整ともにあるいはそれに代わって免震材６を挟持させ、接着剤７を介して石材２同士を積み重ねた際にできた隙間に沿ってその周りを目地材によって目地仕上げすることで、最終的に水・空気抜孔装備墓石塔１が完成する。尚、接着剤７としては、通常用いられるエポキシ系樹脂や弾性シリコン等、特に限定はないが、免震という機能上、弾性シリコンなどの弾性を備える接着剤７を用いることが望ましい。また、目地材も同様、通常用いられるセメントやモルタル、弾性シリコン等、特に限定はないが、免震という機能上、弾性シリコンなどの弾性を備える目地材を用いることが望ましい。
【００３０】
以上の通り構成された水・空気抜孔装備石材構造物１について、かかる一連の貫通孔３内に、一連の補強用中空パイプあるいは棒状芯材を通す態様も考え得る。かかる補強用中空パイプあるいは棒状芯材の形状・構造については、特に限定するものではなく、円筒状や多角柱状、螺旋構造物等、種々の形状・構造のものが考え得る。かかる態様とすることにより、該貫通孔３が単に通気・通水という機能を果たすだけでなく、地震等によって石材２同士がズレることで、石材構造物が崩壊するのを防止する補強的効果も備えることとなる。このとき、最上段石材２ａの崩壊防止をも考慮すると、該最上段石材２ａ下面に、上記補強用中空パイプあるいは棒状芯材を通すための貫通孔３と連なる孔を備えることが望ましい。
【００３１】
尚、上記補強用中空パイプあるいは棒状芯材を貫通孔３に通す態様において、形状により補強用中空パイプの外面が貫通孔３内面と当接状態となる場合には、該補強用中空パイプおける各石材２間に位置する箇所に、空気や水が該補強用中空パイプ内に進入可能な通気・通水用の孔を設ける必要がある。また、形状により補強用中空パイプの外面が貫通孔３内面と当接状態とならない場合及び棒状芯材の場合には、空気や水は補強用中空パイプ外面と貫通孔３内面との隙間を通過することとなるため、かかる通気・通水用の孔を設ける必要はない。
【図面の簡単な説明】
【００３２】
【図１】本発明にかかる水・空気抜孔装備石材構造物の実施形態を示す斜視図である。
【図２】本発明にかかる水・空気抜孔装備墓石塔の実施形態を示す斜視図である。
【図３】本発明にかかる水・空気抜孔装備墓石塔の第一の積み重ね構造を示す説明図である。
【図４】本発明にかかる水・空気抜孔装備墓石塔の第二の積み重ね構造を示す説明図である。
【図５】本発明にかかる水・空気抜孔装備墓石塔の第三の積み重ね構造を示す説明図である。
【図６】本発明にかかる水・空気抜孔装備墓石塔の第四の積み重ね構造を示す説明図である。
【符号の説明】
【００３３】
１    水・空気抜孔装備石材構造物／水・空気抜孔装備石材墓石塔
２    石材
２ａ  最上段石材
２ｂ  二段目石材
２ｃ  三段目石材
２ｄ  石塔
２ｅ  上台
２ｆ  中台
２ｇ  芝台
３    貫通孔
４    傾斜
５    切込み
６    免震材
７    接着剤
【図１】
0004805620.tif 000002
【図２】
0004805620.tif 000003
【図３】
0004805620.tif 000004
【図４】
0004805620.tif 000005
【図５】
0004805620.tif 000006
【図６】
0004805620.tif 000007